(57)【要約】【課題】会議通話のための会議回路を増やすことなく、会議に参加する人を多くすることが可能な交換機を提供することを目的とする。【解決手段】外線１１と複数の内線１０ａ〜１０ｃとの間または複数の内外線間の接続を切り換えて通話路を形成する交換機２において、複数の電話番号を一つ以上のグループにグループ化して登録した記憶手段２７と、内線１０ａ〜１０ｃに接続される内線電話機３ａからの会議通話を要求する通知により、記憶手段２７から内線電話機３ａの電話番号と同じグループの他の電話番号を取得し、片方向通話となるよう通話路を形成するとともに、内線電話機３ａからの片方向通話をしている他の電話機の中から選択された電話機との双方向通話を要求する通知により、選択された電話番号の電話機との片方向通話を双向通話とするよう通話路を形成する制御手段２６とを備えた。【選択図】図１
2005278155.tif 000002
【特許請求の範囲】
【請求項１】
外線と接続するための１または複数の回線インタフェイスと、内線と接続するための１または複数の内線インタフェイスと、を有し外線と内線との間または内線と内線との間の接続を行って通話路を形成する交換機であって、
外線と内線との間の接続および内線相互間の通話路を形成する時分割スイッチと、
内線に割り当てられた内線番号および外線の電話番号のうち少なくとも２以上の電話番号を一つ以上のグループにグループ化して登録した記憶手段と、
外線と内線との間または内線と内線との相互間の交換動作を制御する制御手段とを有し、
前記制御手段は、第１の内線を介して会議通話を要求する会議開催要求とグループ番号を受信すると、前記記憶手段から会議通話を要求した前記第１の内線と同じグループに属する他の内線の番号を取得して会議招集着信を行い、前記第１の内線から前記会議招集着信に応答した前記他の内線に対して片方向通話となるように前記時分割スイッチを制御することを特徴とする交換機。
【請求項２】
前記片方向通話において、前記制御手段は前記第１の内線を介して追加参加要求と新たな他の内線番号とを受信すると、要求された内線番号に会議招集着信を行うことを特徴とする請求項１記載の交換機。
【請求項３】
前記片方向通話において、前記制御手段はさらに、前記第１の内線を介して前記他の内線のうちの１の内線番号と共に除外要求を受信すると、要求された内線番号を切断するように前記時分割スイッチを制御することを特徴とする請求項１記載の交換機。
【請求項４】
前記制御手段は前記会議招集着信を行うと共に時間計測を開始し、前記他の内線が応答をする前に予め定めた所定時間が経過した時は、応答をしない前記他の内線への前記会議招集着信を停止することを特徴とする請求項１記載の交換機。
【請求項５】
前記制御手段は前記片方向通話に制御した時に前記第１の内線と前記他の内線とに片方向通話表示をする信号を送信することを特徴とする請求項１記載の交換機。
【請求項６】
前記会議招集着信を行う前記他の内線に加えて外線に対して前記会議招集着信可能であることを特徴とする請求項１記載の交換機。
【請求項７】
外線と接続するための１または複数の回線インタフェイスと、内線と接続するための１または複数の内線インタフェイスと、を有し外線と内線との間または内線と内線との間の接続を行って通話路を形成する交換機であって、
外線と内線との間の接続および内線相互間の通話路を形成する時分割スイッチと、
音声を合成する会議トランクと、
内線に割り当てられた内線番号および外線の電話番号のうち少なくとも２以上の電話番号を一つ以上のグループにグループ化して登録した記憶手段と、
外線と内線との間または内線と内線との相互間の交換動作を制御する制御手段とを有し、
前記制御手段は、第１の内線を介して会議通話を要求する会議開催要求とグループ番号を受信すると、前記記憶手段から会議通話を要求した前記第１の内線と同じグループに属する他の内線の番号を取得して会議招集着信を行い、前記第１の内線から前記会議招集着信に応答した前記他の内線に対して片方向通話となるように前記時分割スイッチを制御した後、
前記制御手段はさらに、前記片方向通話のいずれかの内線から双方向通話要求を受信すると、前記双方向通話要求をした内線と前記第１の内線とを双方向通話となるように前記時分割スイッチを制御することを特徴とする交換機。
【請求項８】
前記双方向通話要求が前記他の内線から行われた場合は前記第１の内線から承認をする旨の応答を受信した後に前記双方向通話の制御を行うことを特徴とする請求項７記載の交換機。
【請求項９】
前記制御手段は、前記時分割スイッチに加えて前記会議トランクを制御して前記双方向通話を行い、前記双方向通話に参加していない前記他の内線に対して前記会議トランクにより音声合成した信号を受信音声として送信し、前記双方向通話に参加していない前記他の内線が傍聴可能にすることを特徴とする請求項７記載の交換機。
【請求項１０】
前記双方向通話において、前記制御手段は前記第１の内線を介して追加参加要求と新たな他の内線番号とを受信すると、要求された内線番号に前記会議招集着信を行うことを特徴とする請求項７記載の交換機。
【請求項１１】
前記双方向通話において、前記制御手段はさらに、前記第１の内線を介して前記他の内線のうちの１の内線番号と共に選択要求を受信すると、要求された内線番号を前記双方向通話から前記片方向通話にするように前記時分割スイッチを制御することを特徴とする請求項７記載の交換機。
【請求項１２】
前記片方向通話において、前記制御手段はさらに、前記第１の内線を介して前記他の内線のうちの１の内線番号と共に除外要求を受信すると、要求された内線番号を切断するように前記時分割スイッチを制御することを特徴とする請求項７記載の交換機。
【請求項１３】
前記制御手段は前記会議招集着信を行うと共に時間計測を開始し、前記他の内線が応答をする前に予め定めた所定時間が経過した時は、応答をしない前記他の内線への前記会議招集着信を停止することを特徴とする請求項７または請求項１０記載の交換機。
【請求項１４】
前記制御手段は前記片方向通話に制御した時に前記第１の内線と前記他の内線とに片方向通話表示をする信号を送信することを特徴とする請求項７記載の交換機。
【請求項１５】
前記制御手段は前記双方向通話に制御した時に前記第１の内線と前記他の内線とに双方向通話表示をする信号を送信することを特徴とする請求項７記載の交換機。
【請求項１６】
前記会議招集着信を行う前記他の内線に加えて外線に対して前記会議招集着信可能であることを特徴とする請求項７記載の交換機。
【請求項１７】
外線と接続するための１または複数の回線インタフェイスと、内線と接続するための１または複数の内線インタフェイスと、を有し外線と内線との間または内線と内線との間の接続を行って通話路を形成する交換機であって、
外線と内線との間の接続および内線相互間の通話路を形成する時分割スイッチと、
音声を合成する会議トランクと、
内線に割り当てられた内線番号および外線の電話番号のうち少なくとも２以上の電話番号を一つ以上のグループにグループ化して登録した記憶手段と、
外線と内線との間または内線と内線との相互間の交換動作を制御する制御手段とを有し、
前記制御手段は、第１の内線を介して会議通話を要求する会議開催要求とグループ番号を受信すると、前記記憶手段から会議通話を要求した前記第１の内線と同じグループに属する他の内線の番号を取得して会議招集着信を行い、前記第１の内線から前記会議招集着信に応答した前記他の内線に対して片方向通話となるように前記時分割スイッチを制御した後、
前記制御手段は、前記片方向通話のいずれかの内線から双方向通話要求を受信すると、前記双方向通話要求をした内線と前記第１の内線とを双方向通話となるように前記時分割スイッチと前記会議トランクとを制御し、
さらに、前記第１の内線と前記他の内線との３者以上の前記双方向通話において、前記制御手段は、前記第１の内線を介して前記双方向通話の内線から秘話とする内線を選択して秘話通話要求を受信すると、選択された前記内線と前記第１の内線と間のみを双方向通話となるように前記時分割スイッチを制御して秘話通話とすることを特徴とする交換機。
【請求項１８】
前記制御手段は、さらにトーンジェネレータを有し、前記時分割スイッチと前記トーンジェネレータとを制御して、前記双方向通話から前記秘話通話に参加しない制御とした前記他の内線に対して、前記トーンジェネレータから待機保留音を送信することを特徴とする請求項１７記載の交換機。
【請求項１９】
前記制御手段は、前記時分割スイッチに加えて前記会議トランクを制御して、前記双方向通話から前記秘話通話に参加しない制御とした前記他の内線の相互間において前記会議トランクにより音声合成した信号を受信音声として送信し、
前記双方向通話から前記秘話通話に参加しない前記他の内線相互間における双方向通話を行うことを特徴とする請求項１７記載の交換機。
【請求項２０】
前記秘話通話において、前記制御手段は、前記第１の内線を介して秘話終了要求を受信すると、前記双方向通話を構成していた内線相互間で再び前記双方向通話を行うように前記時分割スイッチと前記会議トランクとを制御することを特徴とする請求項１７記載の交換機。
【請求項２１】
外線と接続するための１または複数の回線インタフェイスと、内線と接続するための１または複数の内線インタフェイスと、を有し外線と内線との間または内線と内線との間の接続を行って通話路を形成する交換機の会議通話方法であって、
外線と内線との間の接続および内線相互間の通話路を形成する時分割スイッチと、
音声を合成する会議トランクと、
内線に割り当てられた内線番号および外線の電話番号のうち少なくとも２以上の電話番号を一つ以上のグループにグループ化して登録した記憶手段と、
外線と内線との間または内線と内線との相互間の交換動作を制御する制御手段とを有し、
前記制御手段は、第１の内線を介して会議通話を要求する会議開催要求とグループ番号を受信する会議開催要求ステップと、前記記憶手段から会議通話を要求した前記第１の内線と同じグループに属する他の内線の番号を取得して会議招集着信を行う会議招集着信ステップと、前記第１の内線から前記会議招集着信に応答した前記他の内線に対して片方向通話となるように前記時分割スイッチを制御する片方向通話ステップの後、
前記制御手段はさらに、前記片方向通話のいずれかの内線から双方向通話要求を受信する双方向通話要求ステップと、前記双方向通話要求をした内線と前記第１の内線とを双方向通話となるように前記時分割スイッチと前記会議トランクとを制御する双方向通話ステップと、前記双方向通話に参加していない前記他の内線に対して前記会議トランクにより音声合成した信号を受信音声として送信し、前記双方向通話に参加していない前記他の内線が傍聴可能にする傍聴ステップとを有することを特徴とする交換機の会議通話方法。
【請求項２２】
外線と接続するための１または複数の回線インタフェイスと、内線と接続するための１または複数の内線インタフェイスと、を有し外線と内線との間または内線と内線との間の接続を行って通話路を形成する交換機の会議通話方法であって、
外線と内線との間の接続および内線相互間の通話路を形成する時分割スイッチと、
音声を合成する会議トランクと、
内線に割り当てられた内線番号および外線の電話番号のうち少なくとも２以上の電話番号を一つ以上のグループにグループ化して登録した記憶手段と、
外線と内線との間または内線と内線との相互間の交換動作を制御する制御手段とを有し、
前記制御手段は、第１の内線を介して会議通話を要求する会議開催要求とグループ番号を受信する会議開催要求ステップと、前記記憶手段から会議通話を要求した前記第１の内線と同じグループに属する他の内線の番号を取得して会議招集着信を行う会議招集着信ステップと、前記第１の内線から前記会議招集着信に応答した前記他の内線に対して片方向通話となるように前記時分割スイッチを制御する片方向通話ステップの後、
前記制御手段はさらに、前記片方向通話のいずれかの内線から双方向通話要求を受信する双方向通話要求ステップと、前記双方向通話要求をした内線と前記第１の内線とを双方向通話となるように前記時分割スイッチと前記会議トランクとを制御する双方向通話ステップと、
前記第１の内線と前記他の内線との３者以上の前記双方向通話ステップにおいて、前記制御手段はさらに、前記第１の内線を介して前記双方向通話の内線から秘話とする内線を選択して秘話通話要求を受信する秘話通話要求ステップと、選択された前記内線と前記第１の内線と間のみを双方向通話となるように前記時分割スイッチを制御する秘話通話ステップと、
前記する秘話通話ステップと共に、前記時分割スイッチに加えて前記会議トランクを制御して、前記双方向通話から前記秘話通話に参加しない制御とした前記他の内線の相互間において前記会議トランクにより音声合成した信号を受信音声として送信し、前記秘話通話に参加しない前記他の内線相互間における双方向通話を行う秘話時双方向通話ステップとを有することを特徴とする交換機の会議通話方法。
【発明の詳細な説明】
【技術分野】
【０００１】
本発明は、複数の内線電話機に対して会議通話が可能な交換機であって、特に、会議に参加する人を多くすることが可能で、会議の通話形態を変えることができる交換機に関する。
【背景技術】
【０００２】
従来の会議システムに用いられる交換機は、複数の電話機の呼び出し番号を１グループとして外部から登録可能な登録手段を有し、このグループに属する１つの呼び出し番号の電話機からの特番呼び出しに応答して、グループに属する他の全ての電話機を呼び出して全ての電話機間で通話できるようにしたものがある（例えば、特許文献１参照）。
【０００３】
この（特許文献１）記載の会議システムの交換機は、グループに属する電話機の呼び出し番号を外部から登録することが可能な登録手段を備えているので、会議の参加者を自由に設定することができる。
【特許文献１】特開２０００−３６８７３号公報
【発明の開示】
【発明が解決しようとする課題】
【０００４】
しかし（特許文献１）に記載の交換機システムの交換機では、グループに属するすべての電話機間で相互に通話できるので、それぞれの通話の音声を合成するために、会議回路をそのグループに属する回線の数量分用意する必要がある。従って、会議回路の規模が大きくなり、交換機のコストアップの要因となる。
【０００５】
そこで本発明は、会議通話のための会議回路を増やすことなく、会議に参加する人を多くすることが可能な交換機を提供することを目的とする。
【課題を解決するための手段】
【０００６】
本発明の交換機は、外線と接続するための１または複数の回線インタフェイスと、内線と接続するための１または複数の内線インタフェイスと、を有し外線と内線との間または内線と内線との間の接続を行って通話路を形成する交換機であって、外線と内線との間の接続および内線相互間の通話路を形成する時分割スイッチと、内線に割り当てられた内線番号および外線の電話番号のうち少なくとも２以上の電話番号を一つ以上のグループにグループ化して登録した記憶手段と、外線と内線との間または内線と内線との相互間の交換動作を制御する制御手段とを有し、制御手段は、第１の内線を介して会議通話を要求する会議開催要求とグループ番号を受信すると、記憶手段から会議通話を要求した第１の内線と同じグループに属する他の内線の番号を取得して会議招集着信を行い、第１の内線から会議招集着信に応答した他の内線に対して片方向通話となるように時分割スイッチを制御することを特徴とし、さらに、音声を合成する会議トランクを有し、片方向通話のいずれかの内線から双方向通話要求を受信すると、双方向通話要求をした内線と第１の内線とを双方向通話となるように時分割スイッチを制御することを特徴とする交換機、である。
【発明の効果】
【０００７】
以上のように本発明の交換機は、会議通話を要求した電話機からの通話を、この電話機の電話番号が属するグループの他の電話番号の電話機へ片方向通話となるようにし、片方向通話をしている他の電話機の中から選択された電話機との双方向通話を要求することにより、選択された電話番号の電話機との片方向通話を双方向通話とした。
【０００８】
これにより、会議通話を要求した電話機側で、双方向通話を行う回線数を決めることができるので、会議通話を行う際に使用する双方向通話の回線数を必要最小限とすることができる。よって、会議回路を少なくすることができ、複数のグループが同時に会議通話することが可能である。
【発明を実施するための最良の形態】
【０００９】
上記課題を解決するためになされた第１の発明は、外線と接続するための１または複数の回線インタフェイスと、内線と接続するための１または複数の内線インタフェイスと、を有し外線と内線との間または内線と内線との間の接続を行って通話路を形成する交換機であって、外線と内線との間の接続および内線相互間の通話路を形成する時分割スイッチと、内線に割り当てられた内線番号および外線の電話番号のうち少なくとも２以上の電話番号を一つ以上のグループにグループ化して登録した記憶手段と、外線と内線との間または内線と内線との相互間の交換動作を制御する制御手段とを有し、制御手段は、第１の内線を介して会議通話を要求する会議開催要求とグループ番号を受信すると、記憶手段から会議通話を要求した第１の内線と同じグループに属する他の内線の番号を取得して会議招集着信を行い、第１の内線から会議招集着信に応答した他の内線に対して片方向通話となるように時分割スイッチを制御することを特徴とする交換機である。
【００１０】
これにより、会議通話を要求する内線電話機からの通知により交換機が、記憶手段に登録されたグループ設定情報を参照して参加者の内線又は外線相手へ一斉に着信（外線相手の場合には、回線インタフェイスから外線へ電話番号を発信し、一般公衆網や専用線を介して着信）させ、応答した相手（内線電話機及び外線相手の電話機）との通話を片方向通話とすることで、会議トランクを使用しない会議を開催することができる。
【００１１】
上記課題を解決するためになされた第２の発明は、外線と接続するための１または複数の回線インタフェイスと、内線と接続するための１または複数の内線インタフェイスと、を有し外線と内線との間または内線と内線との間の接続を行って通話路を形成する交換機であって、外線と内線との間の接続および内線相互間の通話路を形成する時分割スイッチと、音声を合成する会議トランクと、内線に割り当てられた内線番号および外線の電話番号のうち少なくとも２以上の電話番号を一つ以上のグループにグループ化して登録した記憶手段と、外線と内線との間または内線と内線との相互間の交換動作を制御する制御手段とを有し、制御手段は、第１の内線を介して会議通話を要求する会議開催要求とグループ番号を受信すると、記憶手段から会議通話を要求した第１の内線と同じグループに属する他の内線の番号を取得して会議招集着信を行い、第１の内線から会議招集着信に応答した他の内線に対して片方向通話となるように時分割スイッチを制御した後、制御手段はさらに、片方向通話のいずれかの内線から双方向通話要求を受信すると、双方向通話要求をした内線と第１の内線とを双方向通話となるように時分割スイッチを制御することを特徴とする交換機、および交換機の会議通話方法である。
【００１２】
これにより、会議通話の要求をした電話機側から双方向通話を行う回線数を決めることができ、会議通話を行う際に使用する双方向通話の回線数を必要最小限とすることができる。従って、会議回路を少なくすることができる。さらに、会議通話を要求した電話機の電話番号と同じグループの他の電話番号の電話機側からも、双方向通信を行う要求を送信して双方向通話とすることができる。さらに、会議通話を要求した電話機からの双方向通話とした電話機の中から選択された電話機との片方向通話を要求する通知により、選択された電話機との双方向通話を片方向通話とするよう通話路を形成することを特徴としたものである。これにより、会議通話を要求した電話機側から、双方向通話とした外線相手もしくは内線電話機との通話を片方向通話へ戻すことができる。
【００１３】
上記課題を解決するためになされた第３の発明は、外線と接続するための１または複数の回線インタフェイスと、内線と接続するための１または複数の内線インタフェイスと、を有し外線と内線との間または内線と内線との間の接続を行って通話路を形成する交換機であって、外線と内線との間の接続および内線相互間の通話路を形成する時分割スイッチと、音声を合成する会議トランクと、内線に割り当てられた内線番号および外線の電話番号のうち少なくとも２以上の電話番号を一つ以上のグループにグループ化して登録した記憶手段と、外線と内線との間または内線と内線との相互間の交換動作を制御する制御手段とを有し、制御手段は、第１の内線を介して会議通話を要求する会議開催要求とグループ番号を受信すると、記憶手段から会議通話を要求した第１の内線と同じグループに属する他の内線の番号を取得して会議招集着信を行い、第１の内線から会議招集着信に応答した他の内線に対して片方向通話となるように時分割スイッチを制御した後、制御手段は、片方向通話のいずれかの内線から双方向通話要求を受信すると、双方向通話要求をした内線と第１の内線とを双方向通話となるように時分割スイッチと会議トランクとを制御し、さらに、第１の内線と他の内線との３者以上の双方向通話において、制御手段は、第１の内線を介して双方向通話の内線から秘話とする内線を選択して秘話通話要求を受信すると、選択された内線と第１の内線と間のみを双方向通話となるように時分割スイッチを制御して秘話通話とすることを特徴とする交換機、および交換機の会議通話方法である。
【００１４】
これにより、秘話通話を要求した電話機側から、同じグループの他の電話番号の電話機を選択して一対一の、個別の秘話会話を双方向会議通話の中で行うことができる。
【００１５】
また秘話通話の間、秘話通話に参加しないで待機する参加者はトーンジェネレータの待機保留音源または待機音声メッセージ音源に接続され、待機保留音源または待機を促す音声メッセージを聞くことができる。さらに、会議トランクを制御して秘話通話に参加しない全員の双方向通話が実現される。また、双方向通話から秘話通話へ、さらに、秘話通話から双方向通話へ容易に移行することができる。
【００１６】
本発明の実施の形態に係る交換機を用いた会議システムの構成について、図に基づいて説明する。図１は、本発明の実施の形態に係る交換機を用いた会議システムを説明する図である。図２は、図１の記憶手段の内容を説明する図である。図３は、図１の交換機のハードウェア構成図である。図４は、図１の内線電話機の外観図である。図５は、図１の内線電話機のハードウェア構成図である。図６は、会議の参加者の内線電話機の表示パネルの表示例を示す図である。
【００１７】
まず、本実施の形態の会議システムと交換機の構成について図１に基づいて説明する。図１に示すように、会議システム１は、交換機２と、内線電話機３（内線電話機を総称する場合符号３とする）と、音声蓄積装置４と、電話機機能を有するパーソナルコンピュータ（Ｐｅｒｓｏｎａｌ  Ｃｏｍｐｕｔｅｒ：以下、ＰＣと略称する）であるＰＣ電話機５とを有する。
【００１８】
交換機２はこれらを接続するための複数種類の通信線を有する。そのうち、内線１０は内線電話機３または音声蓄積装置４が接続可能である。例えば、内線１０ａ，１０ｂに接続される内線電話機３ａ，３ｂと、内線１０ｃに接続される音声蓄積装置４である（個々の装置を個別に称する場合は１０ａ，１０ｂ，１０ｃと表す）。なお、便宜上、内線１０ａ〜１０ｃの３本のみを図示しているが、交換機２には４本以上の内線を接続することも可能である。
【００１９】
また、交換機２は、一般公衆網や専用線である外線１１と接続されている。なお、内線１０ａ〜１０ｃ及び外線１１は、２線又は４線で構成される物理的なワイヤ（電線）である。複数本の内線を収容して１本のケーブルに実装可能である。
【００２０】
交換機２は、上述の各装置と通信するための各種インタフェイスを有する。即ち、回線インタフェイス２１と、内線インタフェイス２２と、ＣＴＩ（Ｃｏｍｐｕｔｅｒ  Ｔｅｌｅｐｈｏｎｅ  Ｉｎｔｅｇｒａｔｉｏｎ）インタフェイス２４を有する。
【００２１】
回線インタフェイス２１は、外線１１を経由して一般公衆網や専用線から着信、もしくは発信した呼に対し、時分割スイッチ２３への接続や切断等を制御するものである。また、内線インタフェイス２２は、内線１０ａ〜１０ｃと時分割スイッチ２３との接続や、切断等の制御を行うものである。内線インタフェイス２２は、内線１０ａ〜１０ｃに対して話し中を示すビジー音や、着信中を示すリングバックトーンなどの状態に応じた音（これらのトーンをブログレストーンと総称する）を送信する機能を有している。
【００２２】
ＣＴＩインタフェイス２４は、コンピュータシステムを統合した多種多様なＣＴＩシステムを構築するために、外部とのデータ通信を行う。回路構成の内容は汎用的なインタフェイス用ＩＣが使用される。例えば、パーソナルコンピュータなどに標準で搭載される、ＵＳＢ（Ｕｎｉｖｅｒｓａｌ  Ｓｅｒｉａｌ  Ｂｕｓ）やＥｔｈｅｒｎｅｔ（登録商標）（ＩＥＥＥ８０２．３）や、双方向シリアル通信が可能なＲＳ−２３２Ｃや、双方向パラレルインタフェイスなどが使用できる。
【００２３】
交換機２は、ＣＴＩインタフェイス２４により、この汎用的な通信線１２を介してＰＣ電話機５と接続している。この通信線１２は、ＣＴＩインタフェイス２４のインタフェイスに応じて適宜ケーブルが決定される。ＣＴＩインタフェイス２４として、ＬＡＮを使用する場合には、ＰＣ電話機５との間にＨＵＢなどの集線装置や、リピータなどの中継装置が利用される。
【００２４】
なお、回線インタフェイス２１およびＣＴＩインタフェイス２４は図１に示すように１個に限るのもではなく、複数設けても良い。さらに、内線インタフェイス２２は図１に示すように３個に限るのもではなく、多数設けても良い。交換機２のシステム全体に要求される能力に応じて適宜必要数定められる。
【００２５】
交換機２は、さらに、時分割スイッチ２３と、会議トランク２５と、制御手段２６と、記憶手段２７、及びトーンジェネレータ２８を備えている。
【００２６】
時分割スイッチ２３は、制御手段２６の制御に従って、外線１１と内線１０ａ〜１０ｃとの間の接続、および内線１０ａ〜１０ｃ相互間の通話路を形成している。時分割スイッチ２３は、デジタル交換方式に用いられる一般的な時分割スイッチと同様である。その内容は、通話メモリとその通話メモリのアドレスをタイムスロットに合わせて制御する周辺制御回路とを有する。これらの通話メモリや周辺制御回路もまた一般的な時分割スイッチと同様に大規模集積回路（ＬＳＩ）に集積化され、１個の汎用ＩＣとして提供されるものである。なお、その動作内容については例えば公開公報（特開２０００−３３３２７９）を援用して、詳細な説明を省略する。
【００２７】
会議トランク２５は、制御手段２６により制御され、会議通話の際の双方向通話を行う回線の音声を、時分割スイッチ２３から入力してこの音声を合成する機能を有し、会議回路とも称する。会議トランク２５は、音声合成のためにＡＮＤ回路、ＯＲ回路、およびゲート回路から成る加算（減算）器を基本構成とし、さらに加算（減産）器を大規模に集積してタイムスロットに合わせて制御する周辺制御回路と併せて大規模集積回路（ＬＳＩ）に集積化されたＬＳＩとして一般に使用される。本実施の形態の会議トランク２５では、音声の合成をすることができる回線数を４回線分備えている。この回線数は、交換機の規模に応じて適宜決めることができる。
【００２８】
制御手段２６は汎用の１チップＣＰＵを使用する。制御手段２６は、以下の各機能を処理する。外線１１と内線１０ａ〜１０ｃの間、および内線１０ａ〜１０ｃ相互間の交換動作を制御する機能を有する。また、制御手段２６は、内線インタフェイス２２を介して内線電話機３ａ，３ｂや音声蓄積装置４と、データ通信を行う機能を有する。さらに、ＣＴＩインタフェイス２４を介してＰＣ電話機５ともまたデータ通信を行う機能を有する。
【００２９】
また、制御手段２６は、内線電話機３ａ，３ｂに設けられた表示手段の表示や、ランプの点灯、点滅、滅灯などの制御と、機能ボタンごとの機能やダイヤルキーによる特番入力に応じた機能を記憶手段２７内に定義している。
【００３０】
この機能ボタンの押下やダイヤルキーによる特番入力を検出すると、制御手段２６は、その機能ボタンや特番に対応して記憶手段２７内に定義された処理を行う。例えば、内線電話機３ａ，３ｂからの機能ボタンやダイヤルキーによる特番入力により、制御手段２６は、時分割スイッチ２３および会議トランク２５を制御して、会議通話のそれぞれの回線を片方向通話としたり、双方向通話としたりする。
【００３１】
また、１チップＣＰＵには周辺の制御機能を併せ持って集積化されている。上述の制御手段２６は、時間計測手段であるタイマ（図示省略）を装備しており、一般に、ＣＰＵクロック信号を計数して時間計測結果を得る。従って、計数値をプログラムすることによってプログラマブル・タイマとして利用することができる。このプログラマブル・タイマを用いた時間監視機能により、着信したがオフフックしない内線電話機３ａ，３ｂなどの時間を監視することで、着信の停止を行ったりする。
【００３２】
記憶手段２７は、各種設定情報やプログラムを記憶する。例えば、各種設定情報を記憶するためにＳＲＡＭ（Ｓｔａｔｉｃ  Ｒａｎｄｏｍ  Ａｃｃｅｓｓ  Ｍｅｍｏｒｙ）をバッテリバックアップして用いる。演算処理用のワークメモリのためにＤＲＡＭ（Ｄｙｎａｍｉｃ  Ｒａｎｄｏｍ  Ａｃｃｅｓｓ  Ｍｅｍｏｒｙ）を用いる。さらに、プログラムを起動するためのブートプログラム用にフラッシュメモリ（Ｆｌａｓｈ  Ｍｅｍｏｒｙ）と、そのプログラムを記憶するためのカードメモリを用いる。以上のメモリ構成は最小限のシステム構成をするための一例であって、構内交換機の機能によってはさらに増加する。本発明の実施の形態においてはこれらのメモリ素子を総称して記憶手段２７として以下に説明する。
【００３３】
記憶手段２７は、内線１０に割り当てられた内線番号および、外線１１へ発信する電話番号（外線相手の電話番号）を記憶し、さらにこれらの各番号のうち少なくとも二以上の電話番号を一つ以上のグループにグループ化して登録されている。このグループは、例えば、会社や、部署や、社外にいる社員などを関連する電話番号がグループ設定情報として登録されている。それぞれのグループには、グループ番号が割り当てられ、このグループ番号により制御手段２６はグループを特定する。
【００３４】
トーンジェネレータ２８は、プログラマブルな可聴周波数の汎用信号発生器である。プログラムにより信号種別を指定して起動することにより、各種のトーン信号を発生する。各トーン信号は前述のプログレストーンに使用する。プログレストーンは、時分割スイッチ２３を介して回線インタフェイス２１または内線インタフェイス２２に送られる。トーンジェネレータ２８におけるトーン信号種別の指定と起動、および時分割スイッチ２３の制御は、制御手段）２６により行なわれる。トーン信号には、以下の種別を指定可能である。例えば、話し中を示すビジー音、ダイヤル番号を受信可能な状態を示すダイヤルトーン、着信相手に着信中を示すリングバックトーン、および回線保留時の保留音などを指定する。
【００３５】
図２は、図１の記憶手段の内容を説明する図であって、前述のグループ設定情報を説明する。図２（ａ）は、記憶手段２７に登録されるグループ設定情報の設定例を示す。グループ設定情報は、グループごとに割り当てられたグループ番号と、グループ名と、メンバとが対応付けられて登録されている。例えば、グループ番号１は、グループ名「Ｇｒｏｕｐ−Ａ」であり、メンバは、メンバ１に電話番号１０２，メンバ２に電話番号０１２０−１２３４−５６７８と、メンバ３に電話番号１０７が登録されており、以降は省略しているが、メンバｎまでが登録されている。
【００３６】
図２（ａ）に示すグループ番号１のグループで会議通話をしている場合を図４の表示パネルの表示例に示す。
【００３７】
電話番号と電話番号に対応した使用者の名前は、交換機２の制御手段２６が、記憶手段２７に登録されているグループ設定情報と使用者名設定情報に基づいて、内線インタフェイス２２を介して内線電話機３ａ，３ｂに送信する。
【００３８】
図２（ｂ）は使用者名設定情報の例を説明する図である。これら、メンバの電話番号は、電話番号と、この電話番号の電話機の使用者名と関連づけられて登録されている。図２（ｂ）の使用者名設定情報では、メンバ２の電話番号（内線番号）が登録されていない。これは、メンバ２の電話番号（内線番号）が外線相手の電話番号であって、名前がないため非登録としている。また、記憶手段２７は、内線電話機３ａ，３ｂに設けられた機能キーの機能や、ダイヤルキーによる特番の機能なども定義されている。
【００３９】
図１における会議システムでは、機能要素に基づいて説明をした。そこで図３に基づいて、本発明の実施の形態におけるハードウェア構成との関係を説明する。ＣＰＵ４１は汎用の１チップＣＰＵであって、例えば、日立製ＨＤ６４１７７０９ＳＦ１３３Ｂである。
【００４０】
制御データバス４２はＣＰＵ４１との制御データバスであって、アドレスバス、データバス、ステータスバスで構成される。いずれのバスもＣＰＵ４１に依存する汎用のバス構成である。ハイウェイ４３は一般的な時分割交換制御に要する時分割データのハイウェイである。ＣＰＵ４１は制御データバス４２とハイウェイ４３とを介して回線制御ＡＳＩＣ４９を制御し、さらに回線制御ＡＳＩＣ４９は周辺端末を特定するためのＣＯＤＥＣ制御４４を生成してＣＯＤＥＣ制御４４制御に接続されている回線インタフェイス２１用および内線インタフェイス２２用のＣＯＤＥＣ５１を制御可能とする。
【００４１】
記憶手段２７は複数のメモリ素子を組み合わせて構成された全体を総称する。メモリ素子の各々は以下のように構成される。４５はＳＤカードメモリであって、交換機２のシステム運用プログラムを記憶する。例えば、Ｐａｎａｓｏｎｉｃ製のＲＰ−ＳＰ０３２、容量３２Ｍｂｙｔｅである。Ｃａｒｄ  Ｍｅｍｏｒｙであるからシステム運用プログラムの更新に当たり、記憶内容の一部書換はもち論、カード交換でも対応することができる。４６はフラッシュメモリであって、システム起動時のブートプログラムを記憶する。例えば、富士通製  ＭＢＭ２９ＬＶ４００ＢＣ，４Ｍｂｉｔ  Ｆｌａｓｈである。４７はＳＲＡＭメモリであって、各種設定データを記憶しバッテリバックアップによって記憶データを保持する。例えば、ルネサステクノロジ製Ｒ１ＬＶ０４１６ＣＳＢ，４Ｍｂｉｔ  ＳＲＡＭである。４８はＤＲＡＭメモリであって、システム運用プログラムと各種設定データとを記憶する。バッテリバックアップによるデータ保持は行わない。例えば、ＭｉｃｒｏｎＴｅｃｈｎｏｌｏｇｙ，Ｉｎｃ．，製ＭＴ４８ＬＣ２Ｍ３２Ｂ２ＴＧ，６４Ｍｂｉｔ  ＤＲＡＭである。
【００４２】
４９は回線制御ＡＳＩＣであって、前述の時分割スイッチ２３部、会議トランク２５部、及び後述する各種のインタフェイスに対する入出力制御を行うＩＯ部を包含する。前述のように各部を大規模集積回路に集積した上、本実施の形態に最も適した周辺制御回路をも含めて集積化したＡＳＩＣ（Ａｐｐｌｉｃａｔｉｏｎ−Ｓｐｅｃｉｆｉｃ  Ｉｎｔｅｇｒａｔｅｄ  Ｃｉｒｃｕｉｔ）に構成される。
【００４３】
前述の回線インタフェイス２１と内線インタフェイス２２とは、その内部構成はほぼ同一である。ＣＰＵ４１から制御される回線制御ＡＳＩＣ４９はＣＯＤＥＣ５１を用いて、各インタフェイスから入力されるアナログ信号をデジタル信号に変換してハイウェイ４３上における各インタフェイスの物理位置に応じたタイムスロット位置にデータ書き込みを行い、また逆に、各インタフェイスの物理位置に応じたタイムスロット位置のデータ読み出しを行いアナログ信号に変換して各インタフェイスに対して出力する。ＣＯＤＥＣ５１は、例えば、Ｉｎｆｉｎｅｏｎ  Ｔｅｃｈｎｏｌｏｇｉｅｓ  ＡＧ製  ＣＯＤＥＣ  ＩＣである。
【００４４】
ＩＦ回路５２は、内線１０および外線１１とのインピーダンスマッチングを取るマッチング素子と、信号の送受信を行うラインドライバレシ−バとで構成される、極めて一般的なインタフェイス回路である。
【００４５】
なお、内線インタフェイス２２の場合は、内線電話機３とＣＰＵ４１との間で送受信されるデータ信号を中継するために、内線電話機３のデータ線と制御データバス４２との間でタイミング制御を行う中継回路を実装する。ここでは、中継回路の内容は本発明の主題とするものではないために、その詳細説明を省略する。
【００４６】
ＣＴＩインタフェイス２４には前述のようにＵＳＢやＩＥＥＥ８０２．３やＲＳ−２３２Ｃに対応した汎用的なインタフェイス用ＩＣがＣＴＩＩＦ回路５３として使用される。ＣＴＩＩＦ回路５３はまた、制御データバス４２とのインタフェイス回路をもを含めて集積化される。なお、内線インタフェイス２２の場合と同様に、データ線と制御データバス４２との間でタイミング制御を行う中継回路を実装するが、中継回路の内容は本発明の主題とするものではないため、その詳細説明を省略する。
【００４７】
図４において、内線電話機３は、受話器３１と、内線電話機本体３２から構成されている。内線電話機本体３２には、表示パネル３３と、操作キー３４を備えている。
【００４８】
表示パネル３３は、液晶表示パネルが使用できる。表示パネル３３は、交換機２の制御手段２６から内線インタフェイス２２を介して送信されたデータが表示される。
【００４９】
操作キー３４は、ソフトキー３５と、機能キー３６と、ダイヤルキー３７と、ボリュームキー３８とを備えている。操作キー３４は以上の各キーを総称する。
【００５０】
ソフトキー３５は、内線電話機３が通話するモードにより適宜その機能を交換機２から変更することが可能である。そこで、通話するモードに応じて、表示パネル３３の下部には、ソフトキー３５の機能が表示される。その機能の表示に対応した位置に配置されて、使用者の利便性を高めている。
【００５１】
機能キー３６は、表示機能を有する押しボタンスイッチであって、例えば図のように、９個配置される。機能キー３６は、各スイッチに対応して割り当てられた機能が交換機２の記憶手段２７に格納されている。例えば、会議通話の際には、機能キー３６は、追加の参加者を呼び出すために使用され、記憶手段２７には、１つの機能キー３６に１つの電話番号が対応付けられて登録されている。表示機能は２色発光（例えば、赤や緑）に点灯可能なＬＥＤ（Ｌｉｇｈｔ  Ｅｍｉｔｔｉｎｇ  Ｄｉｏｄｅ）３６ａが設けられている。それぞれのＬＥＤ３６ａは交換機２から点灯、点滅、色の指定を行うことができ、表示、案内、警報などにそれぞれ使い分ける。
【００５２】
ダイヤルキー３７は、数字キーや、記号キーから構成され、電話番号の入力や、特番の入力を行う際に使用される。特番は、その対応する機能と共に交換機２の記憶手段２７に登録されている。
【００５３】
ボリュームキー３８は、上方向キー３８ａと下方向キー３８ｂの２つを備えている。通常の一対一の通話をしている場合には、ボリュームキー３８の上方向キー３８ａは、受話器３１の音声を大きくすることができ、下方向キー３８ｂは、受話器３１の音声を小さくすることができる。また、会議通話をしている場合には、上方向キー３８ａは、表示パネル３３の左側に表示されたカーソルを上方向へ移動させることができ、下方向キー３８ｂは、カーソルを下方向へ移動させることができる。通話するモード（通常通話か会議通話か）に応じて、交換機２の制御によってボリュームキーの機能が使い分けられる。
【００５４】
図５において、内線電話機３は交換機２に内線１０を介して接続される。その内線１０に送受信する通信部６１を有する。通信部６１は内線インタフェイス２２と同様にＩＦ回路５２を有する。他方、ＣＯＤＥＣ制御を使用しないので、電話機制御部６２の制御バスにインタフェイスされる。
【００５５】
電話機制御部６２は内線電話機３全体の動作を制御する。各種の設定条件は電話機メモリ６３に設定される。小規模の汎用１チップＣＰＵを用いて、周辺の制御回路と共にＡＳＩＣに構成される。
【００５６】
受話器３１はスピーカ６４とマイク６５とを含めた全体を称する。スピーカ６４にはＤＡ変換と音声増幅との機能を含み、マイク６５にはマイク信号増幅とＡＤ変換との機能を含む。
【００５７】
フックキー６６は受話器３１を内線電話機に載置した（オンフック）か取り上げた（オフフック）かを検出する。フックキー６６は操作キー３４と共に電話機制御部６２によってキースキャンされ、キーのＯＮ／ＯＦＦを電話機制御部６２が認識する。認識結果は通信部６１を介して交換機２に送信される。
【００５８】
報知器６７は電話機制御部６２の制御により表示パネル３３とＬＥＤ３６ａとの表示制御を行う。表示パネル３３は表示すべきキャラクタの指定と表示出力により表示され、ＬＥＤ３６はそれぞれの表示器を点灯制御する。表示制御と点灯制御には、電話機制御部６２の制御バスにインタフェイスし制御データをラッチして所要の出力電流を駆動するドライバをアクティブに制御する集積化された汎用ドライバ素子を使用する。
【００５９】
なお、内線電話機に関し関連する内容は特開２００２−０８４３７０のうち特に図２，図３（対応ＵＳ公開番号Ｐｕｂｌｉｃａｔｉｏｎ  Ｎｏ．ＵＳ−２００２−００４８３５３−Ａ１）に開示されているので、その余の詳細な内容は上記文献番号を引用して説明の重複を割愛する。
【００６０】
次に、再び図４において、表示パネルの表示例について説明する。表示パネル３３の最上位である１番目には、内線インタフェイス２２を介して通話していることを示す「ＥＸＴ」と表示されている。そして通話相手は、電話番号１０２の内線電話機であり、内線番号１０２の内線電話機の使用者名は「Ｈ．Ｆｕｋｕｄａ」であることを示している。この使用者名「Ｈ．Ｆｕｋｕｄａ」の右側には、通話状態を示す矢印が表示されており、「→」（右矢印）は、片方向通話をしていることを示している。また、通話状態「⇔」（左右矢印）は、双方向通話をしていることを示している。
【００６１】
また、上から３番目には、回線インタフェイス２１を介して通話していることを示すＣＯと表示されている。次の「００１」は、その際に使用されて外線１１の回線名が「００１」であることを示している。また、電話番号０１２０−１２３４−５６７８は外線相手の電話番号であるため、使用者名設定情報の登録がないので、表示パネル３３の使用者名には、この電話番号をそのまま表示されている。会議通話をしている場合には、表示パネル３３には、会議通話に参加している参加者の回線名、電話番号、名前および通話状態などが表示されている。
【００６２】
そこで、図６において会議通話を要求した内線電話機により会議通話に参加した内線電話機の表示例を示す。会議通話をしている場合には、表示パネル３３は、会議通話中であることを示す「Ｍｕｌｔｉ  Ｃｏｎｆｅｒｅｎｃｅ」と、会議通話を要求した電話機の電話番号と、この電話番号の使用者の名前とが表示されている。
【００６３】
図４に示すように、会議通話を行うモードにおいて、会議通話を要求した会議招集者の内線電話機のソフトキー３５には、会議通話の際に双方向通話の要求を交換機２へ送信する機能である「ＣＯＮＦ」が割り当てられた第１のソフトキー３５ａと，通話相手との双方向通話を片方向通話に変更する要求、もしくは片方向通話の切断の要求を交換機２へ送信する機能である「ＤＩＳＣ」が割り当てられた第２のソフトキー３５ｂ，会議通話中に特定の電話機のみと双方向通話とする秘話通話を要求する機能である「ＳＥＣＲＴ」が割り当てられた第３のソフトキー３５ｃとが、それぞれ表示され、ソフトキーが割り当てられる。
【００６４】
また、図６に示すように、会議通話を行うモードにおいて、会議参加者の内線電話機の第２のソフトキー３５ｂには、双方向通話を要求する機能である「ＩＮＦＯ」が交換機２により割り当てられている。
【００６５】
再び図１において、音声蓄積装置４は、交換機２からの指示により内線１０を介して音声メッセージの録音や再生を行うものである。一般的な音声蓄積装置４の内容は特開Ｈ０５−１４５０８に開示されている。本発明において音声蓄積装置４は内線インタフェイスに接続される一端末の１装置であって、本発明の主題とするものではないから、音声蓄積装置４に関する先行技術文献を開示して援用すると共に、詳細な説明を割愛する。
【００６６】
ＰＣ電話機５は、図示しないネットワークに接続されており、電子メールなどをネットワークに送信する機能を有している。その際には、ＰＣ電話機５は、交換機２から音声蓄積装置４に蓄積された音声メッセージをファイルとして通信線１２を介して受信し、電子メールにファイルを添付して送信することができる。電子メールの宛先に使用される電子メールアドレスは、交換機２に接続される内線電話機３ａ，３ｂや他の内線電話機の使用者の電子メールアドレスがＰＣ電話機５内の記憶手段に、予め登録されている。この電子メールアドレスを内線電話の電話番号と対応させて交換機２内に登録しておき、交換機２から通信線１２を介してＰＣ電話機５へ通知するようにしてもよい。
【００６７】
このようにＰＣ電話機５は、電子メールを送信する機能を有しているので、交換機２が、音声蓄積装置４に会議通話を音声メッセージとして蓄積させ、この音声メッセージを音声蓄積装置４から交換機２を経由してＰＣ電話機５へ送信するとともに、会議通話に参加できなかった内線電話機３ａ，３ｂまたは他の内線電話機の使用者の電子メールアドレスを交換機２からＰＣ電話機５へ通知することで、会議の内容を会議の欠席者へ通知することができる。
【００６８】
なお、一般にＰＣ電話機５はコンピュータに電話機能を実現するソフトウェアを起動させることにより実現される。また、本発明においてＰＣ電話機５は内線インタフェイスに接続される一端末の１装置である。それ故、本発明の主題とするものではないから、詳細な説明を割愛する。
【００６９】
以上のように構成される本発明の実施の形態に係る交換機を用いた会議システムの動作を図に基づいて説明する。図７から図１６は交換機の動作を説明するシーケンスチャートである。なお、図７から図１６のうち、図９は双方向通話における会議トランクの動作を説明する図であり、図１３は内線電話機の表示パネルにおける秘話通話の表示例を示す図であり、図１４は秘話通話における会議トランクの動作を説明する図である。
【００７０】
なお、以下の説明において、複数の内線電話相互の関係には対等に扱われているものとする。そこで、説明の便宜のために会議主催者を１つの内線電話機３ａ（第１の内線電話）を使用するものとし、参加者Ａ等を他の内線電話機を使用するものとする。
【００７１】
（片方向通話）
まず、内線電話機３ａから会議通話を要求して、参加者を召集して会議通話を開始する交換機２の動作を説明する。即ち片方向通話（主催者から参加者への一方向通話）の開始である。
【００７２】
図７において、会議主催者（例えば、内線電話機３ａを使用するものとする）が、内線電話機３ａの受話器３１をオフフック操作する（Ｓ１０）と交換機２からダイヤルトーンが送出される（Ｓ２０）。
【００７３】
会議主催者は、内線電話機３ａのダイヤルキー３７を操作して、会議通話を要求する会議グループ呼び出しの特番（会議開催要求と略称する）と、グループ番号とを入力する。内線電話機３ａは、このダイヤルキー３７の押下により、会議通話を要求する通知を交換機２へ送信する。例えば、グループ呼び出しの特番を２４０とし、グループ番号１（ｆｉｇ２ａ参照）とすると、会議主催者は、ダイヤルキー３７を２４０１と押下する（Ｓ３０）。
【００７４】
交換機２の制御手段２６は、内線インタフェイス２２を介して、内線電話機３ａからグループ呼び出しの特番と、グループ番号とを受信する。制御手段２６は、記憶手段２７を参照して内線電話機３ａがグループ番号１の会議通話を要求していることを認識する。制御手段２６は、記憶手段２７のグループ設定情報からグループ番号１に属するメンバの電話番号へ着信（会議招集着信と略称する）を行うとともに、会議主催者の内線電話機３ａにリングバックトーンを送出する（Ｓ４０）。
【００７５】
今、グループ番号１のメンバに内線電話機３ｂが使用者を参加者Ａとして含まれる（ｆｉｇ２ｂ参照）ものとする。着信して鳴動している参加者Ａの内線電話機３ｂをオフフックすることにより、参加者Ａは会議に参加する。この操作により交換機２は、会議主催者の内線電話機３ａにリングバックトーンを停止させる（Ｓ５０）。
【００７６】
この際の会議主催者の内線電話機３ａから参加者Ａの内線電話機３ｂへは、片方向通話とするよう、交換機２の制御手段２６は、時分割スイッチ２３を制御する。ここで、片方向通話とは、会議主催者から参加者へ一方向の通話が送られる通話形態を言う。
【００７７】
さらに、交換機２から内線電話機３ａ、３ｂにそれぞれ信号を送る。この時に会議主催者の内線電話機３ａの表示パネル３３に、参加者Ａの電話番号、使用者名、片方向通話を示す「→」（右矢印）が表示される。また参加者Ａの内線電話機３ｂの表示パネル３３に、会議通話を示す表示と、会議主催者の電話番号と、使用者名と、片方向通話を示す「→」（右矢印）とが表示（片方方向通話表示と略称する）される（Ｓ６０）。
【００７８】
参加者Ｂも着信に気が付いて、参加者Ａより少し遅れて（図示しない）他の鳴動している内線電話機をオフフック操作することにより、参加者Ｂもまた会議に参加する（Ｓ７０）。
【００７９】
参加者Ｂの内線電話機がオフフックされたことにより、会議主催者の内線電話機３ａからの通話を片方向通話するよう、交換機２の制御手段２６は、時分割スイッチ２３を制御する（Ｓ８０）。また、交換機２から他の内線電話機にそれぞれ信号を送って表示をする点も前述のＳ６０と同様である。
【００８０】
図７では、内線電話機３ａから会議通話を要求して、内線電話機を使用する参加者Ａと、図示しない内線電話機を使用する参加者Ｂを召集して会議通話を開始する例を説明した。この参加者Ｂの電話機が外線相手、すなわち外線１１を介して通話する必要がある電話機である場合は、制御手段２６が、記憶手段２７を参照して、その参加者の外線の電話番号を取得して、回線インタフェイス２１からその電話番号を発信することで、会議通話を開始することができる。
【００８１】
このようにして、会議通話を要求する内線電話機からの通知により交換機２が、記憶手段２７に登録されたグループ設定情報を参照して参加者の内線又は外線相手へ一斉に着信（外線相手の場合には、回線インタフェイス２１から外線１１へ電話番号を発信し、一般公衆網や専用線を介して着信）させ、応答した相手（内線電話機及び／又は外線相手の電話機）との通話を片方向通話とすることで、会議トランク２５を使用しない会議を開催することができる。
【００８２】
（双方向通話）
次に、参加者が、会議主催者へ双方向通話の要求をする場合を図８と図９に基づいて説明する。即ち双方向通話（主催者と参加者との双方向通話）である。
【００８３】
現在、会議主催者から参加者Ａおよび参加者Ｂに対して片方向通話をしているものとする（Ｓ１００、図７におけるＳ８０相当）。図９（ａ）はこのＳ１００における会議トランクと時分割スイッチの動作を説明する図である。交換機２の制御手段２６は、時分割スイッチ２３を制御して、会議主催者の内線電話機３ａからの通話を参加者Ａと参加者Ｂとに送ることにより片方向通話を実現する。
【００８４】
主催者および各参加者は会議通話のモードに入っているので、前述のように、交換機２の信号により、内線電話機３のボリュームキー３８はカーソル操作キーとして機能している。そこで、参加者Ａが内線電話機３ｂの第２のソフトキー３５ｂを押下すると、内線電話機３ｂは、第２のソフトキーに割り当てられた双方向通話を要求する機能である「ＩＮＦＯ」の通知を交換機２へ送信（双方向通話要求と略称）する。
【００８５】
内線電話機３ｂから「ＩＮＦＯ」の通知を受信した交換機２の制御手段２６は、会議主催者の内線電話機３ａへ参加者Ａから双方向通話の要求があることを通知する。これは、制御手段２６が内線電話機３ａへ信号を送り、内線電話機３ａの表示パネル３３に表示されている参加者Ａの電話番号に対応するメンバを点滅表示させることにより行われる。この通知により、会議主催者は、参加者Ａからの双方向通話の要求の通知があったことを認識できる（Ｓ１１０）。
【００８６】
会議主催者は、参加者Ａからの双方向通話の要求に対して承認する場合には、内線電話機３ａのボリュームキー３８を操作して、表示パネル３３に表示されているカーソルを移動させて参加者Ａを選択して第１のソフトキー３５ａを押下する。これにより内線電話機３ａは、第１のソフトキー３５ａに割り当てられた「ＣＯＮＦ」の通知を交換機２へ送信する（Ｓ１２０）。なお、会議主催者が参加者を指定して双方向通話要求をする場合には、上述の承認の手順を省略して双方向通話を行うことができる。参加者の指定、双方向通や要求のソフトキー、並びに双方向通話表示についても同様である。
【００８７】
交換機２の制御手段２６は、内線電話機３ａから受信した「ＣＯＮＦ」の通知により、双方向通話となったことを示す「⇔」（左右矢印）の表示（双方向通話表示と略称する）を行うよう、内線電話機３ａと内線電話機３ｂへ通知する（Ｓ１３０）。
【００８８】
そして、交換機２の制御手段２６は、会議主催者と参加者Ａとの通話を双方向通話とするよう、時分割スイッチ２３を制御して通話路を形成する。これにより、会議主催者と参加者Ａとは双方向通話で会話でき、この会話を参加者Ｂが片方向通話で聞くという状態になっている（Ｓ１４０）。図９（ｂ）はこのＳ１４０における会議トランクと時分割スイッチの動作を説明する図である。会議主催者と参加者Ａとの間は双方向通話に時分割スイッチを制御し、参加者Ｂへは会議主催者の内線電話機３ａからの通話を送るように時分割スイッチを制御することにより、会議主催者と参加者Ａ間の双方向１通話、会議主催者から参加者Ｂへの片方向１通話を実現する。
【００８９】
なぜならば、双方向通話を会議主催者と参加者の１名のみとし、他の参加者は全て片方向通話としている場合（つまり双方向１通話の場合）には、会議トランク２５を使用する必要がないので、簡易な会議システムとすることが可能な交換機とすることができる。本実施の形態の交換機２では、会議主催者と１名の参加者との通話を双方向通話とし、他の参加者とは片方向通話とするときは、会議トランク２５は使用しない構成として説明した。
【００９０】
次に、会議トランク２５を使用した片方向通話の例を説明する。上述のＳ１４０において、参加者Ｂは会議主催者と参加者Ａ間の双方向通話を傍聴可能に設定するものである。上述のＳ１３０までと同様に、会議主催者と参加者Ａ間の双方向通話が実現されていて、参加者Ｂが片方向通話による傍聴参加をするものとする。図９（ｃ）はこのＳ１４０における会議トランクと時分割スイッチの動作を説明する図である。図９（ｂ）とは会議トランク２５を使用する点で異なる。先ず交換機２の制御手段２６は時分割スイッチ２３を制御して、会議主催者の通話を会議トランク２５に上り（ｕｐ）通話として通話路を設定する。同様に参加者Ａの通話を会議トランク２５に上り（ｕｐ）通話として通話路を設定する。会議トランク２５は会議主催者と参加者Ａとの通話を加算してトランク１（Ｔｒ１）を音声合成する。
【００９１】
トランク１（Ｔｒ１）は再び会議トランク２５から時分割スイッチ２３へ下り（Ｄｏｗｎ）通話として送られ、参加者Ｂの受信音声として送られる。参加者Ｂは会議主催者と参加者Ａとの通話を下り（Ｄｏｗｎ）通話のみ受信するので、片方向通話として傍聴することができる。
【００９２】
トランク１（Ｔｒ１）は、（トランク１−会議主催者）音声を減算合成して、時分割スイッチ２３を制御して会議主催者の下り（Ｄｏｗｎ）通話として送られる。同様に、トランク１（Ｔｒ１）から、（トランク１−参加者Ａ）音声を減算合成して、時分割スイッチ２３を制御して参加者Ａの下り（Ｄｏｗｎ）通話として送られる。これは、自分の発音は自分に聞こえているので、通話の違和感をなくすために、トランク１（Ｔｒ１）から発音者の音声を減算して供給する。こうして参加者Ｂが片方向通話による傍聴参加を実現することができる。
【００９３】
次に、会議主催者は、参加者Ｂの意見を聞きたい場合には、内線電話機３ａのボリュームキー３８を操作して、表示パネル３３に表示されているカーソルを移動させて参加者Ｂを選択して第１のソフトキー３５ａを押下する。これにより内線電話機３ａは、第１のソフトキー３５ａに割り当てられた「ＣＯＮＦ」の通知とともに、参加者Ｂの電話番号を交換機２へ送信する（Ｓ１５０）。
【００９４】
交換機２の制御手段２６は、内線電話機３ａから受信した「ＣＯＮＦ」の通知により、双方向通話となったことを示す「⇔」（左右矢印）の表示を行うよう、会議主催者の内線電話機３ａと参加者Ｂの内線電話機へ通知する（Ｓ１６０）。
【００９５】
交換機２の制御手段２６は、参加者Ｂの内線電話機とも双方向通話とする。図９（ｄ）はこのＳ１６０における会議トランクと時分割スイッチの動作を説明する図である。これは交換機２の制御手段２６により、時分割スイッチ２３を制御して、会議主催者の内線電話機３ａと、参加者Ａの内線電話機３ｂと、参加者Ｂの内線電話機との上り（ｕｐ）通話を会議トランク２５へ入力する。会議トランク２５は、入力されたそれぞれの通話を加算しトランク２（Ｔｒ２）を音声合成して時分割スイッチ２３へ下り（Ｄｏｗｎ）通話として出力する。音声合成（加算または減算）の態様は前述のように、時分割交換におけるタイムスロットごとに加算（または減算）することによって、実現される。
【００９６】
制御手段２６は、会議トランク２５から出力された音声合成したトランク２（Ｔｒ２）通話を、それぞれ会議主催者の内線電話機３ａと、参加者Ａの内線電話機３ｂと、参加者Ｂの内線電話機へ送出するよう、時分割スイッチ２３を制御して通話路を形成する（Ｓ１７０）。なおこの時、（トランク２−会議主催者）、（トランク２−参加者Ａ）、および（トランク２−参加者Ｂ）を送出する。実際は、例えば参加者Ａにとって自分が発した声は自分に聞こえている。そこで通話の違和感をなくすために、各参加者に送られる音声合成信号は、全員の合成加算したトランクから参加者自身の音声を減算した音声合成信号とする。
【００９７】
このように、会議通話の要求をした電話機である会議主催者の内線電話機３から、双方向通話を行う回線数を決めることができるので、会議通話を行う際に使用する双方向通話の回線数を必要最小限とすることができる。従って、会議回路である会議トランク２５の回路を少なくすることができる。会議トランク２５の回線数を少なく使用して会議を開催することができるので、複数の会議を同時に開催することも可能である。
【００９８】
（応答無し停止）
次に、会議通話を開始する際の着信に、参加者が応答しない場合の交換機２の動作を図１０に基づいて説明する。会議主催者が内線電話機３ａをオフフックして会議通話の要求を交換機２へ通知して参加者Ａが会議通話に参加するまでは、図７のＳ１０からＳ６０まで同じなので説明は省略する。
【００９９】
参加者Ａは、内線電話機３ｂをオフフックして会議通話へ参加したが、参加者Ｂは、着信して鳴動している内線電話機に気が付かずそのまま放置している状態にあるものとする。このとき、交換機２の制御手段２６は、参加者Ｂの内線電話機に会議通話の呼が着信したときからタイマを起動して時間計測をし、所定の時間が経過するまでの間に参加者Ｂのオフフックがなければ、参加者Ｂの内線電話機への着信を停止するよう内線インタフェイス２２を制御する（Ｓ２００）。
【０１００】
このように、会議通話が内線電話機に着信してからの時間を計測し、所定時間経過後に、着信を停止することにより、放置された内線電話機の鳴動を停止させることができ、周辺への騒音による迷惑を防止することできる。もしくは、一定時間で応答しないと通話相手の電話番号や名前が表示されないことから、会議主催者は参加者の不在を知ることが可能である。
【０１０１】
（参加者の追加）
次に、会議通話を行っている際に、参加者を追加する場合を図１１に基づいて説明する。まず、会議主催者と、参加者Ａと、参加者Ｂとが双方向通話により会議通話を行っている。これは、図８（図９（ｃ）参照）に示すＳ１７０の状態と同じである。会議主催者が、会議通話を行っている参加者Ａおよび参加者Ｂに、新たな参加者Ｃを追加したい場合、内線電話機３ａの参加者Ｃの内線番号が割り当てられた機能キー３６を押下する。この押下により内線電話機３ａから機能キー３６を押下した情報が交換機２へ通知（追加参加要求）される（Ｓ２１０）。
【０１０２】
この通知を受信した交換機２の制御手段２６は、記憶手段２７からこの機能キー３６に対応する参加者Ｃの電話番号を取得し、この参加者Ｃの電話番号に対して会議通話呼出（会議招集着信）として着信させる（Ｓ２２０）。
【０１０３】
図１に図示しない新たな参加者Ｃの内線電話機を参加者Ｃがオフフックして応答操作をする。応答操作により、交換機２は、参加者Ｃの電話番号、使用者名などを記憶手段２７から取得して、会議主催者の内線電話機３ａへ通知する。この通知により、内線電話機３ａの表示パネル３３に参加者Ｃの電話番号、使用者名、片方向通話を示す状態表示がされ、会議通話に参加者Ｃが参加したことを認識する（Ｓ２３０）。
【０１０４】
そして、交換機２の制御手段２６は、参加者Ｃの内線電話機への表示パネル３３へ、会議主催者の情報の表示を行う（Ｓ２４０）。
【０１０５】
交換機２の制御手段２６は、参加者Ｃが会議通話に参加したことで、会議主催者と、参加者Ａと、参会者Ｂとはお互いに会話可能な双方向通話とし、参加者Ｃは片方向通話とする。これは交換機２の制御手段２６により、時分割スイッチ２３を制御して、会議主催者の内線電話機３ａと、参加者Ａの内線電話機３ｂと、参加者Ｂの内線電話機との通話を上り（ｕｐ）通話として会議トランク２５へ入力する。会議トランク２５は、入力されたそれぞれの通話を音声合成して時分割スイッチ２３へ下り（Ｄｏｗｎ）通話として出力する。制御手段２６は、会議トランクから出力された音声合成した通話を、それぞれ主催者の内線電話機３ａと、参加者Ａの内線電話機３ｂと、参加者Ｂの内線電話機と、参加者Ｃの内線電話機へ送出するよう、時分割スイッチ２３を制御して通話路を形成する（Ｓ２５０）。
【０１０６】
この時、会議トランクと時分割スイッチとの動作は図８のＳ１４０（図９（ｃ））と同様であって、会議主催者と参加者Ａおよび参加者Ｂとが双方向通話で、参加者Ｃが片方向通話となる。双方向通話に１名増加した点で異なる。
【０１０７】
なお前述のように、音声合成したトランクから減算する参加者の数によって、参加者Ｃは片方向通話（会議主催者のみを受信する）、もしくは片方向通話による傍聴参加（音声合成したトランクから減算しないで受信する）を実現できることは、前述の通りである。
【０１０８】
なお、前述の所定時間後に着信停止をする機能を、図７のＳ６０に続く処理として説明したが、新たな参加者の着信であった場合にも適用できることは、説明を繰り返すまでもなく同様の処理手順によって実現可能であることは言うまでもない。
【０１０９】
さらに、参加者の追加は以上の双方向通話に限るものではなく、前述の片方向通話にあっても追加可能であって、Ｓ２１０からＳ２４０に示す手順は図７におけるＳ８０に追加可能である。
【０１１０】
（秘話通話）
次に、会議主催者と一部の参加者とが秘話通話を行う場合の交換機２の動作を図１２に基づいて説明する。まず現在、会議主催者と、参加者Ａと、参加者Ｂとが双方向通話により会議通話を行っている（Ｓ３００）ものとする。これは、図８に示すＳ１７０の状態と同じである。
【０１１１】
続けて、会議主催者が、会議通話を行っている参加者Ａのみと双方向通話とする必要を生じたとする。このように双方向通話から特定の内線間でのみ双方向通話に移行をし、他の内線は通話内容を秘匿することを秘話通話と称する。内線電話機３ａのボリュームキー３８で、表示パネル３３に表示される参加者の一覧から参加者Ａを選択して、第３のソフトキー３５ｃに割り当てられた「ＳＥＣＲＴ」を押下する。この押下により内線電話機３ａから第３のソフトキー３５ｃを押下した情報と選択された参加者Ａの内線番号とが交換機２へ通知（秘話通話要求と略称する）される（Ｓ３１０）。
【０１１２】
この通知を受信した交換機２の制御手段２６は、参加者Ａの内線番号に基づいて、会議主催者の内線電話機３ａおよび参観者Ａの内線電話機３ｂに秘話通話を開始した旨の通知を行う。この通知により内線電話機３ａおよび内線電話機３ｂの表示パネル３３に、図１３で示される秘話通話を示す表示を行う。
【０１１３】
この秘話通話の状態を表す表示は、図１３（ａ）は会議主催者の内線電話機３ａの表示例であり、図１３（ｂ）は参加者Ａの内線電話機３ｂの表示例である。図１３（ａ）に示すように、会議主催者の内線電話機３ａについては、表示パネル３３に通話状態の矢印を双方向通話である「⇔」（左右矢印）を参加者Ａのみ表示し、他の参加者は表示しない。また、図１３（ｂ）に示すように、参加者Ａの内線電話機３ｂについては、表示パネル３３に、双方向通話状態から秘話通話となった場合はそのまま「⇔」（左右矢印）を表示する。
【０１１４】
また、片方向通話から秘話通話となった場合は、片方向通話を示す「→」（右矢印）から双方向通話と同様の「⇔」（左右矢印）を表示する。参加者Ａの内線電話機３ｂの通話状態の表示は、Ｓ３００で示される通話の状態から秘話通話としたので、そのまま「⇔」（左右矢印）を表示する（Ｓ３２０）。
【０１１５】
交換機２の制御手段２６は、Ｓ３２０の秘話通話とした表示の通知をするとともに、会議主催者の内線電話機３ａと参加者Ａの内線電話機３ｂのみを双方向通話とし、他の参加者（参加者Ｂ）の内線（内線１０ｂ）へは聞こえない秘話通話とするよう時分割スイッチ２３を制御する。その間、制御手段２６は、記憶手段２７に格納される待機を促す音声メッセージを取得して他の内線へ送信する（Ｓ３３０、図１４（ａ））。図１４は秘話通話における会議トランクの動作を説明する図であって、図１４（ａ）は秘話通話と待機との関係を説明する図である。２者間の秘話通話を行う場合時分割スイッチで実現できるので、会議トランク２５は使用されない。時分割スイッチを制御して、待機する参加者Ｂはトーンジェネレータ２８の待機保留音源または待機音声メッセージ音源に接続される。
【０１１６】
また、待機を促す音声メッセージの他に、他の参加者同士で会議を継続できるようにしてもよい（Ｓ３３０、図１４（ｂ））。図１４（ｂ）は秘話通話、双方向通話、および傍聴の関係を説明する図である。会議主催者と参加者Ａとの秘話通話は時分割スイッチ２３により実現される点は図１４（ａ）と同様である。他の参加者Ｂ，Ｃ，およびＤについて説明をする。参加者ＢＣ間の双方向通話は会議トランク２５により実現される。この時、会議トランク２５に各参加者の音声合成信号をし、トランク（Ｔｒ３）が生成される。そこで、トランク（Ｔｒ３）のバリエーションについて以下に説明する。
【０１１７】
トランク（Ｔｒ３）を参加者Ｂ，Ｃ，およびＤ全員の音声合成として生成すれば、秘話通話に参加しない全員の双方向通話が実現される。図９（ｄ）と同様の双方向通話となる。また、参加者ＢＣを音声合成してトランク（Ｔｒ３）を生成し、参加者Ｄをトランク（Ｔｒ３）の下り（Ｄｏｗｎ）受信とすることもできる。図１４（ｂ）に示す形態であり、図９（ｃ）同様に、参加者Ａと参加者Ｂとが双方向通話であり、参加者Ｃが傍聴となる。さらに、トランク（Ｔｒ３）に代えて、トーンジェネレータ２８の待機保留音源または待機音声メッセージ音源を供給することにより、図１４（ａ）の場合と同様に、参加者Ｄを待機とすることもできる。
【０１１８】
なお、以上のトランク（Ｔｒ３）の説明において、通話の違和感をなくすために各参加者に送られる音声合成信号は全員の合成加算したトランクから参加者自身の音声を減算した音声合成信号とする点は、双方方向通話における図８，９に説明した内容と同様である。
【０１１９】
さらに続けて、会議主催者が参加者Ａとの秘話通話を終了する場合を説明する。会議主催者は、会議主催者の内線電話機３ａの「ＤＩＳＣ」が割り当てられている第２のソフトキー３５ｂを押下する。この押下により内線電話機３ａから第２のソフトキー３５ｂを押下した情報が交換機２へ通知（秘話終了要求と略称する）される（Ｓ３４０）。
【０１２０】
この通知を受信した交換機２の制御手段２６は、秘話通話とした会議主催者の内線電話機３ａの表示パネル３３の表示については、秘話通話とした参加者Ａの表示を双方向通話を示す「⇔」（左右矢印）とした状態をそのままとし、他の参加者である参加者Ｂの表示を双方向通話を示す「⇔」（左右矢印）を再表示する。また、交換機２の制御手段２６は、参加者Ａの内線電話機３ｂについては、表示パネル３３に、秘話通話から双方向通話とするので、そのまま「⇔」（左右矢印）とする（Ｓ３５０）。
【０１２１】
交換機２の制御手段２６は、以下のように時分割スイッチ２３を制御する。会議主催者と、参加者Ａと、参加者Ｂとが、双方向通話により会議通話を行えるように、会議主催者の内線電話機３ａと、参加者Ａの内線電話機３ｂと、参加者Ｂの内線電話機との通話を会議トランク２５へ入力する。会議トランク２５は、入力されたそれぞれの通話を音声合成して時分割スイッチ２３へ出力する。制御手段２６は、会議トランクから出力された音声合成した通話を、それぞれ主催者の内線電話機３ａと、参加者Ａの内線電話機３ｂと、参加者Ｂの内線電話機と、参加者Ｃの内線電話機へ送出するよう、時分割スイッチ２３を制御して通話路を形成する（Ｓ３６０、図８のＳ１７０と図９（ｄ）参照）。
【０１２２】
なお、通話の違和感をなくすために各参加者に送られる音声合成信号は全員の合成加算したトランクから参加者自身の音声を減算した音声合成信号とする点もまた、前述の内容と同様である。
【０１２３】
このようにして、会議主催者が、参加者と会議の途中で、一対一で通話をしたい場合に、容易に参加者を選択して秘話通話とすることができる。また、双方向通話から秘話通話へ、さらに、秘話通話から双方向通話へ容易に移行することができる。
【０１２４】
なお、以上の各通話形態の説明において、秘話通話を二者間（会議主催者と参加者Ａ）とし、双方向会議通話を二者間または三者間（会議主催者と参加者Ａ、または会議主催者と参加者ＡおよびＢ）とした例を用いて説明した。これは説明を簡単にするために最小単位の通話構成メンバーの例を示したものであって、上記説明例の通話構成メンバーに限るものではない。説明に従って時分割スイッチ２３と会議トランク２５を制御（加算、減算接続）することによって、さらに多人数の構成メンバーによる各通話形態を実現することができることは改めて説明を繰り返すまでもない。
【０１２５】
（会議主催者による参加者選択と切断）
次に、会議主催者が参加者を選択することにより、この選択された参加者を会議から除外する場合の交換機２の動作を図１５に基づいて説明する。
【０１２６】
図１５に示すように、まず、会議主催者と、参加者Ａと、参加者Ｂとが双方向通話により会議通話を行っているものとする（Ｓ４００）。Ｓ４００では、交換機２の制御手段２６は、会議トランク２５へ会議主催者と、参加者Ａと、参加者Ｂの通話を入力して、音声を合成したのち、それぞれへ合成した音声を送出するよう時分割スイッチ２３の通話路を制御する。これは、図８のＳ１７０に示す状態と同じである。
【０１２７】
会議主催者が、会議通話を行っている参加者Ｂとの双方向通話を片方向通話としたい場合、内線電話機３ａのボリュームキー３８で、表示パネル３３に表示される参加者の一覧から参加者Ｂを選択して、第２のソフトキー３５ｂに割り当てられた「ＤＩＳＣ」を押下する。この押下により内線電話機３ａから第２のソフトキー３５ｂを押下した情報と選択された参加者Ｂの内線番号とが交換機２へ通知される（Ｓ４１０、選択要求と略称する）。
【０１２８】
この通知を受信した交換機２の制御手段２６は、参加者Ｂの内線番号に基づいて、会議主催者の内線電話機３ａおよび参観者Ｂの内線電話機に片方向通話としたことを示す「→」（右矢印）を表示する旨の通知を行う。この通知により会議主催者の内線電話機３ａおよび参加者Ｂの内線電話機は、表示パネル３３の通話状態に片方向通話を示す「→」（右矢印）を表示する（Ｓ４２０）。
【０１２９】
Ｓ４２０における片方向通話とした表示の通知をするとともに、交換機２の制御手段２６は、会議主催者の内線電話機３ａと参加者Ｂの内線電話機３ｂとの間の通話のみを片方向通話とする時分割スイッチ２３を制御する。参加者Ｂを片方向通話としたことで、会議主催者と参加者Ａとの通話を参加者Ｂへ送出するだけなので、制御手段２６は会議トランク２５へそれぞれの音声を経由させずに、時分割スイッチ２３の通話路の制御のみで対応を図ることができる（Ｓ４３０、および図９（ｄ）から図９（ｂ）への変移参照）。
【０１３０】
そして、会議主催者は、参加者Ｂの会議通話を終了し、会議から除外する場合に、内線電話機３ａのボリュームキー３８で、表示パネル３３に表示される参加者の一覧から参加者Ｂを選択して、第２のソフトキー３５ｂに割り当てられた「ＤＩＳＣ」を押下する。この押下により内線電話機３ａから第２のソフトキー３５ｂを押下した情報と選択された参加者Ｂの内線番号とが交換機２へ通知される（Ｓ４４０、除外要求と略称する）。
【０１３１】
この通知を受信した交換機２の制御手段２６は、参加者Ｂの内線番号に基づいて、会議主催者の内線電話機３ａの表示パネル３３の参観者Ｂの表示を消去する旨の通話を行うとともに、参観者Ｂの内線を切断し、会議主催者と参加者Ａとの双方向通話のみとするよう時分割スイッチ２３の通話路を制御する（Ｓ４５０）。
【０１３２】
このように、会議主催者から参加者へ、双方向通話としていた通話状態を、段階的に片方向通話から通話切断と指定することができる。
【０１３３】
（参加者の離脱）
次に参加者の方から会議を離脱する場合の交換機２の動作を図１６に基づいて説明する。
【０１３４】
まず、会議主催者と、参加者Ａと、参加者Ｂとが双方向通話により会議通話を行っているものとする（Ｓ５００）。これは、図８に示すＳ１７０の状態と同じである。
【０１３５】
図１６に示すように、参加者Ｂが会議を離脱する場合、参加者Ｂの内線電話機の受話器３１を内線電話機本体３２へ置き、オンフックとし、その旨の通知をする。交換機２は、参加者Ｂの内線電話機からオンフックされた通知を受信すると、参加者Ｂが通話切断したことを示す通知を会議主催者へ送信する（Ｓ５１０）。
【０１３６】
参加者Ｂの内線電話機をオンフックし、会議を離脱したことによって、交換機２の制御手段２６は、会議主催者と、参加者Ａとの双方向通話のみとするよう時分割スイッチ２３の通話路を制御する。この場合も図８に示すＳ１４０と同じように、会議主催者と参加者Ａのみが双方向通話をしている状態なので、通話を会議トランク２５を経由させる必要がない。但し、図１６に図示しない他の双方向通話を行う参加者がいる場合には、制御手段２６は、Ｓ５００と同様に３者以上双方向通話を行う者がいるので、双方向通話を行う通話を会議トランク２５を経由させ、音声を合成する必要がある。
【０１３７】
このように、通常の通話のように、参加者は、内線電話機をオンフックして通話を切断することにより、会議通話から離脱することができる。
【０１３８】
なお、会議主催者がオンフックをした（通話を切断した）場合は、会議通話の成立がしなくなるので、片方向、双方向、および秘話いずれの段階の通話であっても会議通話を終了する。
【０１３９】
なお、以上の説明において、複数の内線電話相互の関係には対等に扱われているものとして説明をした。例えば、会議主催者を１つの内線電話機３ａ（第１の内線電話）を使用するものとし、参加者Ａ等を他の内線電話機を使用するものとして説明した。
【０１４０】
さらに、例えば企業などの組織的な階層に交換機２を利用する場合を考慮して、会議主催者を特定の内線に予め定めておくことも可能である。さらに、会議主催者の階層に応じて会議招集（会議開催要求）をかけられるグループのメンバーを予め定めておくことも可能である。このような階層の設定については、図２に説明したグループの設定によって実現することができ、組織的な活動により適合した交換機の設定とすることができる。それによって、会議の開催、双方向通話、秘話通話、参加者の選択、および切断の各機能を組織的活動の利便性向上に資することができる。
【産業上の利用可能性】
【０１４１】
本発明は、会議通話を行う際に使用する双方向通話の回線数を必要最小限とすることができ、会議回路を少なくすることができるので、複数の内線電話機に対して会議通話が可能な交換機に好適である。
【図面の簡単な説明】
【０１４２】
【図１】本発明の実施の形態に係る交換機を用いた会議システムを説明する図
【図２】図１の記憶手段の内容を説明する図
【図３】図１の交換機のハードウェア構成図
【図４】図１の内線電話機の外観図
【図５】図１の内線電話機のハードウェア構成図
【図６】会議の参加者の内線電話機の表示パネルの表示例を示す図
【図７】交換機の動作を説明するシーケンスチャート
【図８】交換機の動作を説明するシーケンスチャート
【図９】双方向通話における会議トランクの動作を説明する図
【図１０】交換機の動作を説明するシーケンスチャート
【図１１】交換機の動作を説明するシーケンスチャート
【図１２】交換機の動作を説明するシーケンスチャート
【図１３】内線電話機の表示パネルにおける秘話通話の表示例を示す図
【図１４】秘話通話における会議トランクの動作を説明する図
【図１５】交換機の動作を説明するシーケンスチャート
【図１６】交換機の動作を説明するシーケンスチャート
【符号の説明】
【０１４３】
１    会議システム
２    交換機
３、３ａ，３ｂ    内線電話機
４    音声蓄積装置
５    ＰＣ電話機
１０，１０ａ，１０ｂ，１０ｃ    内線
１１    外線
１２    通信線
２１    回線インタフェイス
２２    内線インタフェイス
２３    時分割スイッチ
２４    ＣＴＩインタフェイス
２５    会議トランク
２６    制御手段
２７    記憶手段
２８    トーンジェネレータ
３１    受話器
３２    内線電話機本体
３３    表示パネル
３４    操作キー
３５    ソフトキー
３５ａ    第１のソフトキー
３５ｂ    第２のソフトキー
３５ｃ    第３のソフトキー
３６    機能キー
３７    ダイヤルキー
３８    ボリュームキー
３８ａ    上方向キー
３８ｂ    下方向キー
４１    ＣＰＵ
４２    制御データバス
４３    ハイウェイ
４４    ＣＯＤＥＣ制御
４５    ＳＤカードメモリ
４６    フラッシュメモリ
４７    ＳＲＡＭメモリ
４８    ＤＲＡＭメモリ
４９    回線制御ＡＳＩＣ
５１    ＣＯＤＥＣ
５２    ＩＦ回路
５３    ＣＴＩＩＦ回路
６１    通信部
６２    電話機制御部
６３    電話機メモリ
６４    スピーカ
６５    マイク
６６    フックキー
６７    報知器
【図１】
2005278155.tif 000003
【図２】
2005278155.tif 000004
【図３】
2005278155.tif 000005
【図４】
2005278155.tif 000006
【図５】
2005278155.tif 000007
【図６】
2005278155.tif 000008
【図７】
2005278155.tif 000009
【図８】
2005278155.tif 000010
【図９】
2005278155.tif 000011
【図１０】
2005278155.tif 000012
【図１１】
2005278155.tif 000013
【図１２】
2005278155.tif 000014
【図１３】
2005278155.tif 000015
【図１４】
2005278155.tif 000016
【図１５】
2005278155.tif 000017
【図１６】
2005278155.tif 000018